(57)【特許請求の範囲】
【請求項１】
柔軟性を有する材料からなるケース本体の内部に、仕切りを止着した釣竿ケースにおいて、ケース本体外部の前記仕切りの止着部に対応する位置に前記仕切りの方向に沿ってハンドルを設け、該ハンドルはケース本体と仕切りの止着部に止着した支持片で支持されていることを特徴とする釣竿ケース。
【請求項２】
ケース本体は、ハンドルの両側に収納した釣竿を取り出す開口を有していることを特徴とする請求項１記載の釣竿ケース。
【請求項３】
ハンドルは、仕切りの方向に沿って延びるシャフトを有していることを特徴とする請求項１または２記載の釣竿ケース。
【発明の詳細な説明】
【０００１】
【発明の属する技術分野】
本発明は、柔軟性を有する材料からなるケ−ス本体にハンドルを設けた釣竿ケ−スの改良に関する。
【０００２】
【従来の技術】
従来から釣竿の持ち運びに使用される釣竿ケ−スは、ケ−ス本体が硬質のものと、柔軟性を有しているものがある。
直接携帯する場合は、体への当りが柔らかく、比較的軽量な後者が多く用いられ、これらの釣竿ケ−スには運搬用にハンドルが設けられている。
ケ−ス本体が硬質のものであれば、ハンドルをどこに取り付けてもしっかり取り付けることができるが、ケ−ス本体が柔軟性を有しているとハンドルをしっかり取り付けることが難しく、ハンドルを握って運搬するとケ−ス本体が安定せずふらつく感がある。
【０００３】
硬質材の釣竿保護ケ−スを柔軟材の釣竿携帯袋の中に収納し、釣竿携帯袋にハンドルを取り付けた例として実開昭５３−３８９９号公報があり、釣竿携帯袋は釣竿保護ケ−スを収納するチャック付開口とチャックで開閉するサイドポケットを有し、前者の開口と後者のサイドポケットの開口の間にハンドルが設けられ、かつハンドルの両側はパイプ状の支持具で支持する支持構造としている。
このように硬質材の釣竿保護ケ−スを有していても、柔軟材の釣竿携帯袋の外部に直接ハンドルを取り付けると、素材の柔軟性のせいでハンドルが取り付け難いと共にハンドルが安定的に止着できず、この様な釣竿携帯袋ではハンドルを握ったときに釣竿携帯袋がふらつく感がある。
【０００４】
【発明が解決しようとする課題】
解決しようとする問題点は、柔軟材の釣竿携帯袋の外部に直接ハンドルを取り付けると素材の柔軟性のせいでハンドルが取り付け難いと共にハンドルが安定的に止着できず、この様な釣竿携帯袋ではハンドルを握ったときに釣竿携帯袋がふらつく感があること。
【０００５】
本発明の目的は前記欠点に鑑み、柔軟性を有する材料からなる釣竿ケ−ス本体にハンドルがしっかり取り付けることができて、ハンドルを握って運搬している時にケ−ス本体が安定してふらつかない釣竿ケ−スを提供することである。
【０００６】
【課題を解決するための手段】
上記課題を解決するために、
請求項１に係わる本発明は、柔軟性を有する材料からなるケース本体の内部に、仕切りを止着した釣竿ケースにおいて、ケース本体外部の前記仕切りの止着部に対応する位置に前記仕切りの方向に沿ってハンドルを設け、該ハンドルはケース本体と仕切りの止着部に止着した支持片で支持されていること要旨とするものである。
請求項２に係わる本発明は、ケース本体は、ハンドルの両側に収納した釣竿を取り出す開口を有していることことを要旨とするものである。
請求項３に係わる本発明は、ハンドルは、仕切りの方向に沿って延びるシャフトを有していることを要旨とするものである。
【０００７】
【発明の実施の形態】
本発明により、柔軟性を有するケ−ス本体１にハンドル５をしっかり取り付けることができて、ハンドル５を握って運搬している時にケ−ス本体１が安定しふらつかない。
【０００８】
【実施例】
以下、本発明の実施例を図面に基づき説明すると、図１から図６は第１実施例で、図１は釣竿ケ−スの正面図、図２は釣竿ケ−スの一部断面側面図、図３は釣竿ケ−スの縦断面正面図、図４は図１のＦ４−Ｆ４断面線の断面平面図と一部拡大断面平面図、図５はハンドルとハンドル止着部の拡大断面側面図、図６は図５のＦ６−Ｆ６断面線の一部断面側面図である。
【０００９】
釣竿ケ−スは、ケ−ス本体１が柔軟性を有する材料、例えば合成樹脂や天然素材のシ−ト、布、皮、ゴム、（発泡ゴムを含む）等から成り、表面材と裏面材の二重材で断面平面が四角形で上下方向に長く、縦方向の仕切りを挟んで左右二つの収容室を有する形状に形成されている。
左右二つの収容室はそれぞれケ−ス本体１の上端から一側面の長手方向に沿って開口２、３を有し、夫々開閉具のチャック２′、３′で開閉される。
また、これら開口２、３は、ホック等で開閉されるようにしてもよい。
表面材をａ、裏面材をｂとすると、各面は図４で左側の一側面１０ａ、１０ｂと、ケ−ス本体１の後ろ側Ｂで左側の一側面１１ａ、１１ｂと、後ろ側Ｂで右側の他側面１２ａ、１２ｂと、右側の他側面１３ａ、１３ｂと、中央の仕切り１４の仕切り面１４ａ、１４ｂと、前側Ａの左側のチャック２′を挟んだ一側面１５ａ、１５ｂと他側面１６ａ、１６ｂと、前側Ａの右側のチャック３′を挟んだ一側面１７ａ、１７ｂと他側面１８ａ、１８ｂとで構成されて夫々端部が装飾を兼ねた装飾補強片４、４′、４″を挟んで縫着されている。
【００１０】
各側面が重ねられて縫着された各止着部α、β、γはカバ−１９で覆われている。
各止着部α、β、γに装飾補強片４、４′、４″が一緒に縫着されると、止着部α、β、γの柔軟性が減じられる。
装飾補強片４、４′、４″は合成樹脂や天然素材のシ−ト、布、皮、ゴム等がバイアステ−プ状に形成され、二つ折りされて縫着されている。
仕切り１４はその全周がケ−ス本体１に止着されているが、仕切り１４の仕切り面１４ａ、１４ｂがケ−ス本体１の前側Ａの他側面１６ａ、１６ｂとケ−ス本体１の前側Ａの一側面１７ａ、１７ｂに縫着された止着部βにはハンドル５の支持片６、６′、６″が一緒に縫着されている。
ハンドル５の配置位置はケ−ス本体１の上下方向で長手方向の略中央部となるように設けられている。
【００１１】
ハンドル５は合成樹脂材で中空の握り部５ａと両脚部５ｂ、５ｂと両脚部５ｂ、５ｂの透孔５ｃで形成されている。
ハンドル５の両脚部５ｂ、５ｂの間にはパイプ７を挟んでワッシャ２０、２１が配置されると共に両脚部７ｂ、７ｂの外側にパイプ７′、７″を挟んでワッシャ２０、２１が配置され、両脚部５ｂ、５ｂの透孔５ｃとパイプ７、７′、７″とワッシャ２０、２１に一方端に頭部８ａを有するシャフト８が通されてナット２２で抜け止めされている。
シャフト８の両端にナットを螺合してもよい。
各パイプ７、７′、７″の外側には支持片６、６′、６″が巻き付けられ、支持片６、６′、６″の両端は止着部βの装飾補強片４′と共に縫着されている。ハンドル５は仕切り面１４ａ、１４ｂの外側でケ−ス本体１の上下方向で長手方向に沿って支持片６、６′、６″で支持されることになる。
【００１２】
ハンドル５を支持する支持片６、６′、６″が止着部βの装飾補強片４′と共に縫着されると、ケ−ス本体１のすぐ内部に仕切り面１４ａ、１４ｂがあるため、この支持片６、６′、６″に支持されたハンドル５がふらつかない。
またこの場合、止着部βには、支持片６、６′、６″、ケ−ス本体１の側面材、装飾補強片４′等が集まって接合されるため、よりふらつきが無くなる。
しかも、ハンドル５は握り部５ａが長手方向に延びる止着部βに沿って設けられ、しかも、両脚部５ｂ、５ｂがともにケ−ス本体１の外部の、止着部βに対応する位置に設けられているためふらつかず安定する。
【００１３】
また、ハンドル５は仕切り１４がケ−ス本体１の前側Ａに縫着された止着部βに一緒に止着された支持片６、６′、６″に取り付けるため、ケ−ス本体１の外部の、仕切り１４の止着部βに対応する位置、すなわち、左右二つの収容室の境界に設けられる。
この時、ハンドル５は前側Ａおよび仕切り１４に支持されるため、前側Ａのみで支持した場合に比し、安定し、ふらつかない。
また、ハンドル５は左右二つの収容室の境界に設けられ、その両側に開口２、３が位置するため、ケ−ス本体１の前側Ａを上方にしてハンドル５を握持すると、そのまま開口２、３のチャック２′、３′を開閉して収納した釣竿を取り出すことが出来る。
この場合もハンドル５が安定し、ふらつかないため取り出し作業が容易となる。
尚、仕切り１４はケ−ス本体１の前側Ａと後ろ側Ｂに止着部を有していれば、ケ−ス本体１内部の仕切りが出来てハンドル５を支えることができる。
【００１４】
ケ−ス本体１の底部１ａは後ろ側Ｂの左右側面１１ａ、１１ｂと１２ａ、１２ｂで形成されている。
各表面材と裏面材の間にはシ−ト２３で包装された緩衝材２４が挿入されている。
仕切り１４の仕切り面１４ａ、１４ｂの間には緩衝材に代えて硬質材を挿入してもよい。
後ろ側Ｂには別部材２５が縫着されて別部材２５の上下に環２６が帯紐環２７、２７で止められ、環２６にシヨルダ−ベルト２８に取り付けられたフック２９、２９が掛け止めされる。
【００１５】
前記のように釣竿ケ−スが構成されると、柔軟性を有するケ−ス本体１にハンドル５をしっかり取り付けることができて、ハンドル５を握って運搬している時にケ−ス本体１が安定しふらつかない。
【００１６】
図７は第２実施例で、図７は釣竿ケ−スの断面平面図と一部拡大断面平面図である。
【００１７】
第２実施例では、仕切り１４の仕切り面１４ａ、１４ｂの一方がケ−ス本体１の外側に延ばされて仕切り１４と一体に複数の支持片１４ｃが形成され、支持片１４ｃは各パイプ７、７′、７″の外側に巻き付けられた後、前側Ａの他側面１６ａ、１６ｂと一側面１７ａ、１７ｂと装飾補強片４′と共に縫着された止着部βとなっている。
他の構成は前記第１実施例と略同一である。
【００１８】
【発明の効果】
本発明により、柔軟性を有するケ−ス本体にハンドルをしっかり取り付けることができて、ハンドルを握って運搬している時にケ−ス本体が安定しふらつかない。
【図面の簡単な説明】
【図１】第１実施例で、釣竿ケ−スの正面図である。
【図２】同釣竿ケ−スの一部断面側面図である。
【図３】同釣竿ケ−スの縦断面正面図である。
【図４】同図１のＦ４−Ｆ４断面線の断面平面図と一部拡大断面平面図である。
【図５】同ハンドルとハンドル止着部の拡大断面側面図である。
【図６】同図５のＦ６−Ｆ６断面線の一部断面側面図である。
【図７】第２実施例で、釣竿ケ−スの断面平面図と一部拡大断面平面図である。
【符号の説明】
１  ケ−ス本体
５  ハンドル
６、６′、６″、１４ｃ  支持片
８  シャフト
１４  仕切り
β  止着部
【図１】
0003745683.tif 000002
【図２】
0003745683.tif 000003
【図３】
0003745683.tif 000004
【図４】
0003745683.tif 000005
【図５】
0003745683.tif 000006
【図６】
0003745683.tif 000007
【図７】
0003745683.tif 000008